(57)【要約】【課題】シンプルな構成で放熱性、防水性の高いデジタルカメラ及びその外装体を提供する。【解決手段】外装ケース１６の内側にメインフレーム１８を収容配置し、このメインフレーム１８に基板２２、レンズユニット１４等を直接固定する。メインフレーム１８は、金属の押出成型によって形成する。【選択図】      図２
2009105478.tif 000002
【特許請求の範囲】
【請求項１】
外装体の内側に金属製のフレームを配置し、該フレームに内部モジュールが直接固定されるデジタルカメラであって、
前記フレームが押出成型によって形成されることを特徴とするデジタルカメラ。
【請求項２】
前記フレームの外周の一部が前記外装体から露出し、外装の一部を構成することを特徴とする請求項１に記載のデジタルカメラ。
【請求項３】
前記フレームの上面にアクセサリーシューが一体成形され、該アクセサリーシューが前記外装体の上面から突出して設けられることを特徴とする請求項１又は２に記載のデジタルカメラ。
【請求項４】
前記フレームの底面に三脚ネジ穴が形成され、該三脚ネジ穴が前記外装体の底面に露出して設けられることを特徴とする請求項１、２又は３に記載のデジタルカメラ。
【請求項５】
デジタルカメラの外装体であって、
金属の押出成型によって、前面、背面、上面、底面が一体成形された筒状の外装体本体と、
前記外装体本体の開口した両側面に水密状態で取り付けられる一対の側面部材と、
からなり、前記外装体本体は、底面部が肉厚に形成され、該底面部に三脚ネジ穴が、内部に貫通しないように形成されることを特徴とするデジタルカメラの外装体。
【請求項６】
デジタルカメラの外装体であって、
金属の押出成型によって、前面、背面、上面、底面が一体成形されるとともに、内部の底面近傍に仕切壁が形成された筒状の外装体本体と、
前記外装体本体の開口した両側面に水密状態で取り付けられる一対の側面部材と、
前記外装体本体の底面に形成された孔と、
三脚ネジ穴を有し、前記孔に取り付けられる三脚ネジ穴部材と、
からなることを特徴とするデジタルカメラの外装体。
【発明の詳細な説明】
【技術分野】
【０００１】
本発明はデジタルカメラ及びその外装体に係り、特に放熱性、防水性の高いデジタルカメラ及びその外装体に関する。
【背景技術】
【０００２】
近年、デジタルカメラは、処理速度を向上させるために、撮像素子、信号処理回路ともに駆動クロックが上昇しており、発熱量が増加する傾向にある。
【０００３】
一方、ＣＣＤ等の撮像素子は、温度が上昇すると、暗電流が増加し、画質が低下するという問題がある。
【０００４】
そこで、撮像素子等で発生する熱を放熱するための技術が種々提案されている。たとえば、特許文献１では、外装体の内側に放熱板を配置し、この放熱板に撮像素子を固定することが提案されている。また、特許文献２では、画像表示装置の冷却構造として、押出成型により形成された金属製のフレームに熱伝達部材を介して表示パネルを取り付けることが提案されている。
【特許文献１】特開２００４−１０４６３２号公報
【特許文献２】特開２０００−３２１９８９号公報
【発明の開示】
【発明が解決しようとする課題】
【０００５】
しかしながら、特許文献１に記載の技術では、放熱板の形状が複雑であるため、加工に手間がかかるという欠点がある。また。特許文献２に記載の技術では、熱伝達部材が必要になるため、構成が複雑になるとともに組立工数も多くなるという欠点がある。
【０００６】
本発明はこのような事情に鑑みてなされたもので、シンプルな構成で放熱性、防水性の高いデジタルカメラ及びその外装体を提供することを目的とする。
【課題を解決するための手段】
【０００７】
請求項１に係る発明は、前記目的を達成するために、外装体の内側に金属製のフレームを配置し、該フレームに内部モジュールが直接固定されるデジタルカメラであって、前記フレームが押出成型によって形成されることを特徴とするデジタルカメラを提供する。
【０００８】
請求項１に係る発明によれば、内部モジュールが直接固定されるフレームが金属の押出成型によって形成される。これにより、フレームを簡単に加工することができる。また、内部モジュールを直接固定することにより、組立工数を削減することができる。さらに、金属で形成することにより、放熱性を向上させることができる。
【０００９】
請求項２に係る発明は、前記目的を達成するために、前記フレームの外周の一部が前記外装体から露出し、外装の一部を構成することを特徴とする請求項１に記載のデジタルカメラを提供する。
【００１０】
請求項２に係る発明によれば、フレームの外周の一部が外装体から露出する。これにより、放熱性を更に向上させることができる。
【００１１】
請求項３に係る発明は、前記目的を達成するために、前記フレームの上面にアクセサリーシューが一体成型され、該アクセサリーシューが前記外装体の上面から突出して設けられることを特徴とする請求項１又は２に記載のデジタルカメラを提供する。
【００１２】
請求項３に係る発明によれば、フレームの上面にアクセサリーシューが一体成型される。これにより、アクセサリーシューの強度を確保することができ、フラッシュ等のアクセサリー機器を安定して保持することができる。また、別途アクセサリーシューを設ける必要がなくなるため、部品点数を削減できる。また、これにより、組立工数も削減できる。
【００１３】
請求項４に係る発明は、前記目的を達成するために、前記フレームの底面に三脚ネジ穴が形成され、該三脚ネジ穴が前記外装体の底面に露出して設けられることを特徴とする請求項１、２又は３に記載のデジタルカメラを提供する。
【００１４】
請求項４に係る発明によれば、フレームの底面に三脚ネジ穴が形成される。これにより、三脚ネジ穴の強度を確保することができ、デジタルカメラを安定して三脚に取り付けることができる。また、別途三脚ネジ穴用の部品を取り付ける必要がなくなるため、部品点数を削減できる。また、これにより、組立工数も削減できる。
【００１５】
請求項５に係る発明は、前記目的を達成するために、デジタルカメラの外装体であって、金属の押出成型によって、前面、背面、上面、底面が一体成型された筒状の外装体本体と、前記外装体本体の開口した両側面に水密状態で取り付けられる一対の側面部材と、からなり、前記外装体本体は、底面部が肉厚に形成され、該底面部に三脚ネジ穴が、内部に貫通しないように形成されることを特徴とするデジタルカメラの外装体を提供する。
【００１６】
請求項５に係る発明によれば、前面、背面、上面、底面が一体成型された筒状の外装体本体の底面部が肉厚に形成され、その底面部に三脚ネジ穴が直接形成される。これにより、内部の防水性を確保することができる。すなわち、別途、三脚ネジ穴用の部品を取り付けると、その取付部の隙間から水が浸入するおそれがあるが、底面部に三脚ネジ穴を直接形成することにより、このような不具合が生じることがない。また、部品点数を削減することができ、これにより、組立工数も削減することができる。
【００１７】
請求項６に係る発明は、前記目的を達成するために、デジタルカメラの外装体であって、金属の押出成型によって、前面、背面、上面、底面が一体成型されるとともに、内部の底面近傍に仕切壁が形成された筒状の外装体本体と、前記外装体本体の開口した両側面に水密状態で取り付けられる一対の側面部材と、前記外装体本体の底面に形成された孔と、三脚ネジ穴を有し、前記孔に取り付けられる三脚ネジ穴部材と、からなることを特徴とするデジタルカメラの外装体を提供する。
【００１８】
請求項６に係る発明によれば、前面、背面、上面、底面が一体成型された筒状の外装体本体の内部に仕切壁が一体成型され、底面部が、いわゆる二重底で形成される。そして、外側の底面に孔が形成され、その孔に三脚ネジ穴部材が取り付けられる。これにより、たとえ孔と三脚ネジ穴取付部材との隙間から水が浸入しても、内部モジュールが収容される、外装体本体の内側まで水が侵入するのを防止できる。
【発明の効果】
【００１９】
本発明によれば、シンプルな構成で放熱性、防水性の高いデジタルカメラ及びその外装体を提供することができる。
【発明を実施するための最良の形態】
【００２０】
以下、添付図面に従って本発明に係るデジタルカメラ及びその外装体の好ましい実施の形態について説明する。
【００２１】
図１は、本発明に係るデジタルカメラの第１の実施の形態の外観構成を示す斜視図である。
【００２２】
同図に示すように、本実施の形態のデジタルカメラ１０は、いわゆるコンパクトカメラとして構成されており、そのカメラボディ１２は、平たい矩形の箱状に形成されている。
【００２３】
被写体の光学像を撮像素子の受光面上に結像させるためのレンズユニット１４は、沈胴式のズームレンズで構成されており、カメラの電源をＯＮすると、そのレンズ鏡筒がカメラボディ１２の前面から垂直に繰り出される。そして、カメラの電源をＯＦＦすると、カメラボディ１２の内側に沈胴し、カメラボディ１２の前面はフラットになる。
【００２４】
このレンズユニット１４には、レンズの前玉を保護するためのレンズバリア１４Ａが組み込まれており、レンズ鏡筒の沈胴、繰り出しに応じて自動で開閉される。
【００２５】
レンズユニット１４を介して結像された被写体の光学像を撮像するための撮像素子（たとえば、ＣＣＤ、ＣＭＯＳ等）２８は、このレンズユニット１４の後端部に図示しない取付フレームを介して取り付けられている（図３参照）。
【００２６】
図２は、図１に示したデジタルカメラの要部の構成を示す分解斜視図である。
【００２７】
同図に示すように、カメラボディ１２を構成する外装カバー（外装体）１６は、フロントカバー１６Ａとリアカバー１６Ｂとで構成され、カメラボディ１２のほぼ中央位置で前後に分割可能に形成されている。
【００２８】
外装カバー１６の内側には、メインフレーム１８が収容配置されており、フロントカバー１６Ａとリアカバー１６Ｂは、このメインフレーム１８にビス２０でネジ止めされて取り付けられている。すなわち、フロントカバー１６Ａとリアカバー１６Ｂの両側面には、それぞれ通し孔１６ａ、１６ｂが形成されており、この通し孔１６ａ、１６ｂにビス２０を通し、そのビス２０をメインフレーム１８の外周部１８Ａの両側面に形成されたネジ穴１８Ｇに螺合させることにより、フロントカバー１６Ａとリアカバー１６Ｂが、メインフレーム１８に取り付けられる。そして、このフロントカバー１６とリアカバー１６Ｂとがメインフレーム１８に取り付けられることにより、デジタルカメラ１０のカメラボディ１２が構成され、外装が構成される。
【００２９】
外装カバー１６の内部に収容配置される基板２２やレンズユニット１４等の内部モジュールもこのメインフレーム１８に直接取り付けられている。
【００３０】
図３は、メインフレーム１８の構成を示す斜視図である。同図に示すように、メインフレーム１８は、その外周部１８Ａが、外装カバー１６の外周形状に対応して所定の奥行き（Ｄ）を有する矩形の枠状に形成されている。そして、その外周部１８Ａの内側にはレンズユニット１４を取り付けるためのレンズ取付部１８Ｂと仕切板１８Ｃとが一体成型されている。
【００３１】
レンズ取付部１８Ｂは、外周部１８Ａと同じ奥行き（Ｄ）をもってリング状に形成されており、その外周部の四カ所をリブ１８Ｄによって外周部１８Ａの内面及び仕切板１８Ｃの側面に連結されている。このレンズ取付部１８Ｂの内径は、レンズユニット１４の鏡筒部１４Ｂの外径とほぼ同径に形成されており、レンズユニット１４は、その鏡筒部１４Ｂをレンズ取付部１８Ｂの内側に収容して、メインフレーム１８に取り付けられる。
【００３２】
ここで、このレンズユニット１４は、その鏡筒部１４Ｂの基端部外周にフランジ１４Ｃが一体成型されており、このフランジ１４Ｃをビス２４でレンズ取付部１８Ｂにネジ止めすることにより、レンズ取付部１８Ｂに取り付けられる。フランジ１４Ｃには、このビス２４でネジ止めするための通し孔１４Ｄが１２０°間隔で三カ所に形成されている。また、レンズ取付部１８Ｂには、フランジ１４Ｃに形成された通し孔１４Ｄに対応して、ネジ穴１８Ｅが三カ所に形成されている。レンズユニット１４は、そのフランジ１４Ｃに形成された３つの通し孔１４Ｄにそれぞれビス２４を通し、各ビス２４をレンズ取付部１８Ｂに形成されたネジ穴１８Ｅに螺合させることにより、メインフレーム１８に取り付けられる。
【００３３】
仕切板１８Ｃは、外周部１８Ａと同じ奥行き（Ｄ）を有する板状に形成されており、外周部１８Ａの内側を左右に二分するように配置されている。この仕切板１８Ｃは、基板２２の取付部を構成する。すなわち、この仕切板１８Ｃの上端部と下端部（上下の外周部１８Ａとの連結部）、及び、外周部１８Ａの左側の側面部の上端部と下端部（外周部１８Ａの左上隅と左下隅）には、それぞれ基板２２をビス２６でネジ止めするためのネジ穴１８Ｆが形成されており、基板２２は、その四隅に形成された通し孔２２Ａにビス２６を通し、そのビス２６をネジ穴１８Ｆに螺合させることにより、メインフレーム１８に取り付けられる。
【００３４】
このように、外装カバー１６の内側に配置される基板２２やレンズユニット１４等の内部モジュールは、メインフレーム１８に直接取り付けられる。
【００３５】
このメインフレーム１８は、アルミニウム合金やステンレス鋼、銅合金、マグネシウム合金、亜鉛合金等の金属によって形成され、特に押出成型によって形成される（本例ではアルミニウム合金による押出成型で形成されている）。このため、その形状は押出成型が可能な形状に形成される。本例では、レンズユニット１４を取り付けた際、その光軸と同じ方向に押出成型されるように形成されている。すなわち、各部（外周部１８Ａ、レンズ取付部１８Ｂ、仕切板１８Ｃ、リブ１８Ｄ、ネジ穴１８Ｅ等）が光軸と平行に形成され、同じ奥行き（Ｄ）をもって一体的に形成されている。
【００３６】
このように、メインフレーム１８を押出成型で得る構成とすることにより、簡単に加工することができ、コストを大幅に削減することができる。また、強度も確保することができる。
【００３７】
また、メインフレーム１８を金属で形成し、このメインフレーム１８に内部モジュールを直接取り付ける構成にすることにより、放熱性を高めることができる。
【００３８】
なお、外装カバー１６の材質については、特に限定されないが、メインフレーム１８と同様に金属とすることが好ましい。これにより、さらに放熱性を高めることができる。
【００３９】
図４は、本発明に係るデジタルカメラの第２の実施の形態の要部の構成を示す分解斜視図である。
【００４０】
本実施の形態のデジタルカメラ１０Ａは、メインフレーム１８の一部が外装カバー１６から露出している点で上記第１の実施の形態のデジタルカメラ１０と相違している。
【００４１】
なお、この点以外は上述した第１の実施の形態のデジタルカメラ１０の構成と同じなので、同じ部材には同じ符号を付して、その説明は省略する。
【００４２】
図４に示すように、メインフレーム１８の外周部１８Ａの左右の両側面部の外周面には、それぞれ四角いプレート状の放熱部１８Ｈが突出して形成されている。この放熱部１８Ｈは、メインフレーム１８に外装カバー１６（フロントカバー１６Ａとリアカバー１６Ｂ）を取り付けると、図５に示すように、その外装カバー１６の両側面から露出し、外装の一部を構成する。外装カバー１６を構成するフロントカバー１６Ａとリアカバー１６Ｂの両側面部には、それぞれ放熱部１８Ｈの外周形状に対応した切欠き１６ｃ、１６ｄが形成されており、放熱部１８Ｈは、この切欠き１６ｃ、１６ｄを介して外装カバー１６の表面に露出する。
【００４３】
このように、メインフレーム１８の一部を外装カバー１６から露出させることにより、放熱性をさらに向上させることができる。
【００４４】
なお、本例では、メインフレーム１８の外周部１８Ａの両側面部の一部を外装カバー１６から露出させているが、露出させる部位は、これに限定されるものではない。この他、底面部を露出させるようにしてもよいし、また、片側の側面部のみを露出させるようにしてもよい。さらに、全周を露出させるようにしてもよい。
【００４５】
なお、このように放熱部を形成する場合もメインフレームは押出成型可能な形状に形成する。すなわち、放熱部１８Ｈは、各部（外周部１８Ａ、レンズ取付部１８Ｂ、仕切板１８Ｃ、リブ１８Ｄ、ネジ穴１８Ｅ等）と平行に形成し、同じ奥行き（Ｄ）をもって外周部１８Ａに一体的に形成する。
【００４６】
図６は、本発明に係るデジタルカメラの第３の実施の形態の外観構成を示す斜視図である。
【００４７】
本実施の形態のデジタルカメラ１０Ｂは、カメラボディ１２の上面にアクセサリーシュー３０を有している点で上記第１の実施の形態のデジタルカメラ１０と相違している。
【００４８】
なお、この点以外は上述した第１の実施の形態のデジタルカメラ１０の構成と同じなので、同じ部材には同じ符号を付して、その説明は省略する。
【００４９】
図７は、図６に示したデジタルカメラ１０Ｂのメインフレーム１８の構成を示す斜視図である。
【００５０】
同図に示すように、アクセサリーシュー３０は、メインフレーム１８に一体形成されている。すなわち、メインフレーム１８の外周部１８Ａの上面部に一体的に形成されている。
【００５１】
図６に示すように、外装カバー１６を構成するフロントカバー１６Ａとリアカバー１６Ｂの上面部には、それぞれこのアクセサリーシュー３０の外周形状に対応した切欠き１６ｅ、１６ｆが形成されており、アクセサリーシュー３０は、この切欠き１６ｅ、１６ｆを介して外装カバー１６の上面から突出して設けられる。
【００５２】
なお、このアクセサリーシュー３０も押出成型可能な形状に形成する。すなわち、放熱部１８Ｈは、各部（外周部１８Ａ、レンズ取付部１８Ｂ、仕切板１８Ｃ、リブ１８Ｄ、ネジ穴１８Ｅ等）と平行に形成し、同じ奥行き（Ｄ）をもって外周部１８Ａに一体的に形成する。
【００５３】
このように、メインフレーム１８にアクセサリーシュー３０を一体成型することにより、アクセサリーシュー３０の強度を確保することができ、フラッシュ等のアクセサリー機器を安定して保持することができる。特に、アクセサリーシュー３０の偏肉設定ができるため、容易にアクセサリーシュー３０の強度を上げることができる。
【００５４】
また、別途アクセサリーシューを設ける必要がなくなるため、部品点数を削減できる。また、これにより、組立工数も削減できる。さらに、気密性も高めることができ、防水性を向上させることができる。また、この露出したアクセサリーシュー３０を介して熱を放熱することができ、放熱性の向上を図ることができる。
【００５５】
なお、本実施の形態では、メインフレーム１８にアクセサリーシュー３０のみを設けているが、アクセサリーシュー３０とともに放熱部を設けるようにしてもよい。
【００５６】
図８は、第４の実施の形態のデジタルカメラのメインフレーム１８の構成を示す斜視図である。
【００５７】
同図に示すように、本実施の形態のデジタルカメラのメインフレーム１８には、三脚ネジ穴３２が一体形成されている。
【００５８】
なお、この点以外は上述した第１又は第３の実施の形態のデジタルカメラ１０、１０Ｂの構成と同じなので、同じ部材には同じ符号を付して、その説明は省略する。
【００５９】
この三脚ネジ穴３２は、メインフレーム１８の外周部１８Ａの底面部に形成されている。この外周部１８Ａの底面部には、四角いプレート状の突起部１８Ｊが下方向に突出して形成されており、この突起部１８Ｊの中央に三脚ネジ穴３２が形成されている。この突起部１８Ｊは、メインフレーム１８に外装カバー１６（フロントカバー１６Ａとリアカバー１６Ｂ）を取り付けると、その外装カバー１６の底面から露出し、外装の一部を構成する。
【００６０】
なお、図示は省略するが、外装カバー１６を構成するフロントカバー１６Ａとリアカバー１６Ｂの底面部には、それぞれこの突起部１８Ｊの外周形状に対応した切欠きが形成され、突起部１８Ｊは、この切欠きを介して外装カバー１６の表面に露出する。
【００６１】
また、この突起部１８Ｊも押出成型可能な形状に形成する。すなわち、放熱部１８Ｈは、各部（外周部１８Ａ、レンズ取付部１８Ｂ、仕切板１８Ｃ、リブ１８Ｄ、ネジ穴１８Ｅ等）と平行に形成し、同じ奥行き（Ｄ）をもって外周部１８Ａに一体的に形成する。
【００６２】
また、三脚ネジ穴３２は、メインフレーム１８の加工後、ドリル等で突起部１８Ｊに穴を開け、ダイス等を利用して形成する。この際、三脚ネジ穴３２は、メインフレーム１８の底面に対して垂直に形成する。
【００６３】
このように、メインフレーム１８に三脚ネジ穴３２を一体成型することにより、三脚ネジ穴３２の強度を確保することができ、デジタルカメラを安定して三脚に取り付けることができる。また、別途三脚ネジ穴用の部品を取り付ける必要がなくなるため、部品点数を削減できる。また、これにより、組立工数も削減できる。さらに、気密性も高めることができ、防水性を向上させることができる。また、この露出した三脚ネジ穴３２を介して熱を放熱することができ、放熱性の向上を図ることができる。
【００６４】
なお、本実施の形態では、三脚ネジ穴３２と同時にアクセサリーシュー３０もメインフレーム１８に一体成形しているが、三脚ネジ穴３２のみをメインフレーム１８に形成するようにしてもよい。また、三脚ネジ穴とともに放熱部をメインフレームに一体成型するようにしてもよい。
【００６５】
図９は、本発明に係るデジタルカメラの第５の実施の形態の外観構成を示す斜視図である。
【００６６】
同図に示すように、本実施の形態のデジタルカメラ５０もコンパクトカメラとして構成されており、そのカメラボディ５２は、平たい矩形の箱状に形成されている。このデジタルカメラ５０のレンズユニットは、いわゆる屈曲光学系のズームレンズで構成されており、カメラボディ５２の内部に収容配置されている。
【００６７】
図１０は、図９に示したデジタルカメラのカメラボディを構成する外装カバーの分解斜視図である。
【００６８】
同図に示すように、本実施の形態のデジタルカメラ５０の外装カバー５４は、カメラボディ５２の前面、背面、上面、底面を構成する筒状のカバー本体５６と、そのカバー本体５６の左右両端の開口部５６Ａに取り付けられ、カメラボディ５２の両側面を構成する一対の蓋体（側面部材）５８とで構成されている。
【００６９】
カバー本体５６は、四角い筒状に形成されており、前面、背面、上面、底面が一体的に形成されている。このカバー本体５６は、アルミニウム合金やステンレス鋼、銅合金、マグネシウム合金、亜鉛合金等の金属によって形成されており、特に押出成型によって形成されている（本例ではアルミニウム合金による押出成型で形成されている）。したがって、その形状は、押出成型可能な形状に形成されている。すなわち、各面の厚さが長手方向（本例の場合、左右方向）に均一に形成されている。
【００７０】
ここで、図１１に示すように、カバー本体５６は、前面、背面、上面が、共に同じ厚さで形成されており、底面部のみが肉厚に形成されている。そして、この底面部のほぼ中央位置に三脚ネジ穴６０が形成されている。
【００７１】
なお、この三脚ネジ穴６０は、カバー本体５６を加工後、ドリル等でカバー本体５６の底面部に穴を開け、ダイス等を利用して形成する。この際、三脚ネジ穴６０は、カバー本体５６の底面に対して垂直に形成する。
【００７２】
この他、カバー本体５６に形成するレンズ用の開口部やフラッシュ用の開口部、モニタ用の開口部、操作ボタン用の開口部等もカバー本体５６を加工後に形成する。
【００７３】
また、カバー本体５６の底面部は、三脚ネジ穴６０が直接形成されることから、三脚ネジ穴６０が形成可能な肉厚をもって形成される。
【００７４】
蓋体５８は、カバー本体５６の側面形状に合致した板状に形成されており、カバー本体５６の左右両端の開口部５６Ａに取り付けられて、カバー本体５６の開口部５６Ａを閉塞する。この蓋体５８の内側面には、カバー本体５６の開口部５６Ａの内周形状に合致した突起部５８Ａが形成されており、蓋体５８は、この突起部５８Ａをカバー本体５６の開口部５６Ａに嵌めることにより、カバー本体５６に取り付けられる。この突起部５８Ａには、外周部にパッキン６２が取り付けられ、このパッキン６２の作用でカバー本体５６は、その開口部５６Ａが水密状態で閉塞される。
【００７５】
なお、この蓋体５８の材質については、特に限定されるものではなく、アルミニウム等の金属で形成してもよいし、樹脂で形成してもよい。
【００７６】
また、蓋体５８の固定方法についても特に限定されるものではなく、ビス等でカバー本体５６に固定してもよいし、爪等の係合部を形成して固定してもよい。
【００７７】
以上のように構成された本実施の形態のデジタルカメラ５０の外装カバー５４によれば、肉厚に形成されたカバー本体５６の底面部に三脚ネジ穴６０が直接形成されるので、内部の防水性を確保することができる。すなわち、別途、三脚ネジ穴用の部品を取り付けると、その取付部の隙間から水が浸入するおそれがあるが、カバー本体５６の底面部に三脚ネジ穴６０を直接形成することにより、このような不具合が生じることがない。また、部品点数を削減することができ、これにより、組立工数も削減することができる。また、三脚ネジ穴６０の強度も確保することができ、三脚に取り付けた際、カメラを安定して支持することができる。
【００７８】
なお、本例では、カバー本体５６の形状を四角い筒状に形成しているが、上面、底面、前面、背面が一体的に形成され、押出成型により加工可能な形状であれば、この形状に限定されるものではない。
【００７９】
図１２は、本発明に係るデジタルカメラの第６の実施の形態の外装カバーの分解斜視図である。
【００８０】
本実施の形態のデジタルカメラの外装カバー６４も上記第４の実施の形態のデジタルカメラの外装カバー５４と同様に、カメラボディの前面、背面、上面、底面を構成する筒状のカバー本体６６と、そのカバー本体６６の左右両端に取り付けられ、カメラボディの両側面を構成する一対の蓋体６８とで構成されている。
【００８１】
カバー本体６６は、四角い筒状に形成されており、前面、背面、上面、底面が一体的に形成されている。また、その内部には、底面部近傍に仕切板６６Ａが一体的に形成されており、この仕切板６６Ａによって、カバー本体６６の内部は、上部空間と下部空間とに仕切られている（いわゆる二重底構造）。
【００８２】
このカバー本体６６は、アルミニウム合金やステンレス鋼、銅合金、マグネシウム合金、亜鉛合金等の金属によって形成されており、特に押出成型によって形成されている（本例ではアルミニウム合金による押出成型で形成されている）。したがって、その形状は、押出成型可能な形状に形成されている。すなわち、各面の厚さが長手方向（本例の場合、左右方向）に均一に形成されている。
【００８３】
このカバー本体６６の底面部の中央には、図１３に示すように、取付穴６６Ｂが形成されており、この取付穴６６Ｂに三脚ネジ穴部材７０が取り付けられている。三脚ネジ穴部材７０は、上端部が閉塞された円筒状に形成されており、その内周部に三脚ネジ穴７０Ａが形成されている。また、その基端部の外周にはフランジ７０Ｂが形成されており、このフランジ７０Ｂをビス（図示せず）でネジ止めして、カバー本体６６の底面部に取り付けられる。
【００８４】
なお、この三脚ネジ穴部材７０を取り付けるための取付穴６６Ｂやレンズ用の開口部、フラッシュ用の開口部、モニタ用の開口部、操作ボタン用の開口部等は、カバー本体５６を押出成型により加工した後に形成する。
【００８５】
蓋体６８は、カバー本体６６の側面形状に合致した板状に形成されており、カバー本体６６の左右両端に取り付けられて、カバー本体６６の開口部６６Ｃ、６６Ｄを閉塞する。この蓋体６８の内側面には、カバー本体６６の開口部６６Ｃ、６６Ｄの内周形状に合致した突起部６８Ａ、６８Ｂが形成されており、蓋体６８は、この突起部６８Ａ、６８Ｂをカバー本体６６の両端の開口部６６Ｃ、６６Ｄに嵌めることにより、カバー本体６６に取り付けられる。この突起部６８Ａ、６８Ｂには、外周部にパッキン７２Ａが取り付けられ、このパッキン７２Ａの作用でカバー本体６６は、その開口部６６Ｃ、６６Ｄが水密状態で閉塞される。
【００８６】
なお、この蓋体６８の材質については、特に限定されるものではなく、アルミニウム等の金属で形成してもよいし、樹脂で形成してもよい。
【００８７】
また、蓋体６８の固定方法についても特に限定されるものではなく、ビス等でカバー本体６６に固定してもよいし、爪等の係合部を形成して固定してもよい。
【００８８】
以上のように構成された本実施の形態のデジタルカメラの外装カバー６４によれば、カバー本体６６が二重底で構成されるので、内部の防水性を確保することができる。
【００８９】
また、上記第５の実施の形態のデジタルカメラの外装カバー６４と比較して、押出材の体積を削減することができ、軽量化を図ることができる。
【図面の簡単な説明】
【００９０】
【図１】第１の実施の形態のデジタルカメラの外観構成を示す斜視図
【図２】図１に示したデジタルカメラの要部の構成を示す分解斜視図
【図３】図１に示したデジタルカメラのメインフレームの構成を示す斜視図
【図４】第２の実施の形態のデジタルカメラの要部の構成を示す分解斜視図
【図５】第２の実施の形態のデジタルカメラの外観構成を示す斜視図
【図６】第３の実施の形態のデジタルカメラの外観構成を示す斜視図
【図７】図６に示したデジタルカメラのメインフレームの構成を示す斜視図
【図８】第４の実施の形態のデジタルカメラのメインフレームの構成を示す斜視図
【図９】第５の実施の形態のデジタルカメラの外観構成を示す斜視図
【図１０】図９に示したデジタルカメラの外装カバーの分解斜視図
【図１１】図１０の１１−１１断面図
【図１２】第６の実施の形態のデジタルカメラの外観構成を示す斜視図
【図１３】図１２の１３−１３断面図
【符号の説明】
【００９１】
１０、１０Ａ、１０Ｂ…デジタルカメラ、１２…カメラボディ、１４…レンズユニット、１４…レンズバリア、１４Ｂ…鏡筒部、１４Ｃ…フランジ、１４Ｄ…通し穴、１６…外装カバー、１６Ａ…フロントカバー、１６Ｂ…リアカバー、１６ａ、１６ｂ…通し穴、１６ｃ、１６ｄ…切欠き、１８…メインフレーム、１８Ａ…外周部、１８Ｂ…レンズ取付部、１８Ｃ…仕切板、１８Ｄ…リブ、１８Ｅ…ネジ穴、１８Ｆ…ネジ穴、１８Ｇ…ネジ穴、１８Ｈ…放熱部、１８Ｊ…突起部、２０…ビス、２２…基板、２２Ａ…通し穴、３０…アクセサリーシュー、３２…三脚ネジ穴、５０…デジタルカメラ、５２…カメラボディ、５４…外装カバー、５６…カバー本体、５６Ａ…開口部、５８…蓋体、５８Ａ…突起部、６０…三脚ネジ穴、６２…パッキン、６４…外装カバー、６６…カバー本体、６６Ａ…仕切板、６６Ｂ…取付穴、６６Ｃ、６６Ｄ…開口部、６８…蓋体、６８Ａ、６８Ｂ…突起部、７０…三脚ネジ穴部材、７０Ａ…三脚ネジ穴、７２Ａ、７２Ｂ…パッキン
【図１】
2009105478.tif 000003
【図２】
2009105478.tif 000004
【図３】
2009105478.tif 000005
【図４】
2009105478.tif 000006
【図５】
2009105478.tif 000007
【図６】
2009105478.tif 000008
【図７】
2009105478.tif 000009
【図８】
2009105478.tif 000010
【図９】
2009105478.tif 000011
【図１０】
2009105478.tif 000012
【図１１】
2009105478.tif 000013
【図１２】
2009105478.tif 000014
【図１３】
2009105478.tif 000015